(57)【要約】【課題】  受信トラフィックが集中するノードが存在する場合に伝送効率を向上させることができるリングネットワークのマスタ設定方法及び装置を提供することを目的とする。【解決手段】  隣接ノード間が右方向回線及び左方向回線の双方向伝送路によって接続されたリングネットワークのマスタ設定方法において、本局と指定されたノードから各ノードまでの右方向回線でのノードホップ数と左方向回線でのノードホップ数とをそれぞれカウントし、右方向回線でのノードホップ数と左方向回線でのノードホップ数とが同一もしくはいずれか一方が１だけ少ないノードをマスタノードと設定する。【選択図】      図１９
2005167931.tif 000002
【特許請求の範囲】
【請求項１】
隣接ノード間が右方向回線及び左方向回線の双方向伝送路によって接続されたリングネットワークのマスタ設定方法において、
本局と指定されたノードから各ノードまでの右方向回線でのノードホップ数と左方向回線でのノードホップ数とをそれぞれカウントし、
前記右方向回線でのノードホップ数と前記左方向回線でのノードホップ数とが同一もしくはいずれか一方が１だけ少ないノードをマスタノードと設定することを特徴とするリングネットワークのマスタ設定方法。
【請求項２】
請求項１記載のリングネットワークのマスタ設定方法において、
前記本局と指定されたノードは、受信トラフィックが集中するノードであることを特徴とするリングネットワークのマスタ設定方法。
【請求項３】
隣接ノード装置と右方向回線及び左方向回線の双方向伝送路によって接続されたリングネットワークのノード装置において、
本局と指定されたノードから自ノードまでの右方向回線でのノードホップ数と左方向回線でのノードホップ数とをそれぞれカウントするカウント手段と、
前記右方向回線でのノードホップ数と前記左方向回線でのノードホップ数とが同一もしくは一方が１だけ少ない場合に自ノードをマスタノードと設定するマスタ設定手段を
有することを特徴とするリングネットワークのノード装置。
【請求項４】
請求項３記載のリングネットワークのノード装置において、
前記本局と指定されたノードは、受信トラフィックが集中するノードであることを特徴とするリングネットワークのノード装置。
【請求項５】
請求項４記載のリングネットワークのノード装置において、
前記本局と指定されたノードは、ノードホップ数を０としたコントロールパケットを生成して前記右方向回線と前記左方向回線に送出するコントロールパケット生成手段を
有することを特徴とするリングネットワークのノード装置。
【発明の詳細な説明】
【技術分野】
【０００１】
本発明は、リングネットワークのマスタ設定方法及び装置に関し、リングネットワークにおいて、障害時に接続経路をアダプティブに切替えるＲＡＳ（Ｒｅｌｉａｂｉｌｉｔｙ  Ａｖａｉｌａｂｉｌｉｔｙ  Ｓｅｒｖｉｃｅａｂｉｌｉｔｙ）機能を備えるリングネットワークのマスタ設定方法及び装置に関する。
【背景技術】
【０００２】
種々のデータ通信が可能なＩＰ（Ｉｎｔｅｒｎｅｔ  Ｐｒｏｔｏｃｏｌ）ネットワークはメッシュトポロジ構成を基本としているが、必ずしも最適なネットワークにはならず、例えば、道路や河川等の限られたエリア内の複数の地点間を相互に監視するためのネットワークとしては、リニアまたはリング型のネットワークが効率良く使用される。なお、ＲＡＳ機能を備えたリング型ネットワークの伝送方式には、並列送信／受信選択伝送方式とループバック伝送方式とがある。
【０００３】
本出願人は、例えば特許文献１，２等により、双方向伝送路の伝送容量をフルに使用し、効率良くデータ通信を行うと共に、データ転送遅延を生ずることなく、複数のノード間で同時にデータ通信を行うことができるリニアまたはリングネットワークのマスタ設定方法及び装置を提案した。
【０００４】
図１は、リングネットワークの構成例を示す。リングネットワークは図１（Ａ）に示すように、任意のノードのうち例えばノードＡを端局（マスタ）とし、他の残りのノードＢ〜Ｄを中間局（スレーブ）とし、隣接する各ノード間を双方向の伝送路により接続して構成される。図１（Ａ）のリングネットワークは、論理的には図１（Ｂ）に示すリニア構成と等価である。
【０００５】
図１（Ａ）において、端局のノードＡは左端局及び右端局として動作する。左端局及び右端局は、送信権情報を含むトークンパケット及びデータパケット格納領域を有するパケットトレーラを生成し、左端局は当該パケットトレーラを右方向伝送路上に、右端局は当該パケットトレーラを左方向伝送路上に送出する。各中間局は、右方向のデータパケットの送信要求発生時に、左方向伝送路上のパケットトレーラのトークンパケットに送信要求情報を書き込み、左方向のデータパケットの送信要求発生時に、右方向のデータパケットトレーラのトークンパケットに送信要求情報を書き込んで送信要求を行う。
【０００６】
左端局及び右端局は、対向する端局から送出されたパケットトレーラ内のトークンパケットに書き込まれた各中間局の送信要求情報を基に、送信要求をおこなった中間局に対する予約領域を確保したデータパケット格納領域を有する上記パケットトレーラを生成する。上記送信要求を行った中間局は、上記パケットトレーラ内の予約領域にデータパケットを格納して送信先ノードにデータを送信する。
【特許文献１】特公平７−５２８８６号公報
【特許文献２】特開２００２−１７１２６８号公報
【発明の開示】
【発明が解決しようとする課題】
【０００７】
図２を用いて従来のリングネットワークで回線異常が発生した場合の動作を示す。正常時には図２（Ａ）に示すようにノードＡを端局（マスタ）とし、他の残りのノードＢ〜Ｄを中間局（スレーブ）として動作する。図２（Ｂ）に示すようにノードＣ，Ｄ間で回線異常が発生すると、図２（Ｃ）に示すように回線異常が発生している両端のノードＣ，Ｄが端局となって動作を行う。この後、通信が復旧すると、図２（Ｄ）に示すように端局であったノードＣ，Ｄの何れか一方（図ではノードＣ）が端局となって動作を行う。
【０００８】
なお、このノード遷移識別のための情報は、両リングの帯域中の一部を固定的に割り当て、主信号と論理的に異なる専用パスを用いてやり取りを行い、マスタノードは、運用のなかで移動していきネットワーク内での位置は固定できないでいた。
【０００９】
トラフィックがネットワークを構成する各ノードに平均的に発生する利用形態のネットワークでは問題はないが、受信トラフィックが集中するノードが存在するネットワーク利用形態では、マスタノードの位置よっては伝送効率が下がってしまうという問題があった。
【００１０】
リングネットワークでは、通常運用時は、右方向回線と左方向回線の双方を用いてパケットの送受信を行うことができる。このため、アービトレーションを行うマスタノードの位置により転送効率がまったく違ってくる。受信トラフィックが集中するノードがある場合、そのノードがマスタノードからもっとも遠いところに配置されるのが最高のパフォーマンスを生む。
【００１１】
図３〜図５を用いてマスタノードの位置よる伝送効率の違いを説明する。図においてはリングネットワークを展開して表示しているため、マスタノードであるノード＃１をネットワークの両端に示している。
【００１２】
図３に示すように、リングネットワークでは、１度使用した帯域はマスタノードで終端されるまで開放されない。通常、各ノードから別のノードまでの間の通信は平均的にほぼ同じ帯域の通信があり、それらの合計が通信路の帯域と同じになる。
【００１３】
図４に示すように、全てのノード＃１〜＃７，＃９，＃１０からノード＃８のみに受信トラフィックが集中するような通信の運用がほとんどをしめる使用状態では、右方向回線の帯域は全て使用され、左方向回線の帯域は余裕がある。このため、例えばノード＃６，７からノード＃８に対する通信要求があった場合に、右方向回線の帯域は全て使用されているために、ノード＃６，７からノード＃８に対する通信を行うことはできず、通信総量を更に上げることができない。これは、パケットトレーラがマスタノード＃１で生成されて送出され、マスタノード＃１で終端されるためである。従って、左方向回線の帯域は余裕があるにも拘わらず、使用することができない。このような状態は、受信トラフィックが集中するノード＃８がマスタノード＃１の位置から最も遠い位置に対して偏った位置に存在する場合に顕著に発生する。
【００１４】
これに対し、図５に示すように、全てのノード＃１〜＃５，＃７〜＃１０からノード＃６のみに受信トラフィックが集中するような通信の運用がほとんどをしめる使用状態であっても、受信トラフィックが集中するノード＃６がマスタノード＃１の位置から最も遠い位置に存在する場合は、右方向回線と左方向回線の双方を効率よく利用することができる。
【００１５】
このように、マスタノードの位置により転送効率がまったく異なり、受信トラフィックが集中するノードがマスタノードからもっとも遠いところに配置されるのが最高のパフォーマンスを生み、更に、マスタノードが運用のなかで移動し、ノードの増減設があった場合も、ネットワーク内でのマスタノードの位置は固定できないでいるため、従来は受信トラフィックが集中するノードが存在するネットワーク利用形態において、マスタノードの位置よっては伝送効率が下がってしまうという問題があった。
【００１６】
本発明は、上記の点に鑑みなされたものであり、受信トラフィックが集中するノードが存在する場合に伝送効率を向上させることができるリングネットワークのマスタ設定方法及び装置を提供することを目的とする。
【課題を解決するための手段】
【００１７】
請求項１，３に記載の発明は、本局と指定されたノードから各ノードまでの右方向回線でのノードホップ数と左方向回線でのノードホップ数とをそれぞれカウントし、
前記右方向回線でのノードホップ数と前記左方向回線でのノードホップ数とが同一もしくはいずれか一方が１だけ少ないノードをマスタノードと設定することにより、
本局と指定されたノードから最も遠い位置にマスタノードを設定することができ、伝送効率を向上させることができる。
【００１８】
請求項２，４に記載の発明では、本局と指定されたノードは、受信トラフィックが集中するノードであることにより、
受信トラフィックが集中するノードから最も遠い位置にマスタノードを設定することができ、伝送効率を向上させることができる。
【発明の効果】
【００１９】
請求項１，３に記載の発明によれば、本局と指定されたノードから最も遠い位置にマスタノードを設定することができ、伝送効率を向上させることができる。
【００２０】
請求項２，４に記載の発明によれば、受信トラフィックが集中するノードから最も遠い位置にマスタノードを設定することができ、伝送効率を向上させることができる。
【発明を実施するための最良の形態】
【００２１】
以下、図面に基づいて本発明の実施形態について説明する。
【００２２】
図６は、本発明のリングネットワークの一実施例の構成図を示す。リング接続のネットワークは図６（Ａ）に示すように、任意のノードのうち例えばノードＡを端局とし、他の残りのノードＢ〜Ｄを中間局とし、隣接する各ノード間を双方向の伝送路により接続して構成される。
【００２３】
端局のノードＡは、左端局及び右端局として動作する。左端局及び右端局として動作するノードＡは、送信権を与えるトークンパケットを発行し、また、ノードＡが端局として動作していること（マスタ）を示すマスタ通知フレーム“ａ”を送出する。
【００２４】
図６（Ｂ）は、図６（Ａ）に示したリングネットワークの論理的な通信路の構成図を示す。各ノードＡ〜Ｄは、左パケット多重部ＰＭＵＸ（Ｌ）及び右パケット多重部ＰＭＵＸ（Ｒ）を備える。左端局の右パケット多重部ＰＭＵＸ（Ｒ）及び右端局の左パケット多重部ＰＭＵＸ（Ｌ）は、トークンコントローラＴＣＮＴに接続され、中間局の左パケット多重部ＰＭＵＸ（Ｌ）及び右パケット多重部ＰＭＵＸ（Ｒ）は、それぞれ隣接するノードの右パケット多重部ＰＭＵＸ（Ｒ）及び左パケット多重部ＰＭＵＸ（Ｌ）互いに接続され、双方向にパケットデータを中継する。
【００２５】
図７は、本発明の各ノードにおける伝送装置の構成図を示す。伝送装置の基本構成は図８（Ａ）に示すように、左回線インタフェース１１、右回線インタフェース２１、左パケット多重部（ＰＭＵＸ（Ｌ））１２、右パケット多重部（ＰＭＵＸ（Ｒ））２２、右トークンコントローラ（ＴＣＮＴ（Ｒ））１３、左トークンコントローラ（ＴＣＮＴ（Ｌ））２３、制御部（ＣＮＴ）３１及び端末インタフェース３２を備える。
【００２６】
左回線インタフェース１１及び右回線インタフェース２１は、右方向伝送路＃０及び左方向伝送路＃１の信号に対するインタフェース機能を有し、それぞれ、左パケット多重部（ＰＭＵＸ（Ｌ））１２及び右パケット多重部（ＰＭＵＸ（Ｒ））２２に接続され、信号を中継する。
【００２７】
左パケット多重部（ＰＭＵＸ（Ｌ））１２は、左回線インタフェース１１から出力される右方向伝送路＃０からのパケットを、端末インタフェース３２へ出力すると共に、該伝送装置が端局の場合は、該パケットを右トークンコントローラ（ＴＣＮＴ（Ｒ））１３へ、該伝送装置が中間局の場合は右パケット多重部（ＰＭＵＸ（Ｒ））２２へ出力する。
【００２８】
また、左パケット多重部（ＰＭＵＸ（Ｌ））１２は、該伝送装置が端局の場合は右トークンコントローラ（ＴＣＮＴ（Ｒ））１３からのパケットを、該伝送装置が中間局の場合は右パケット多重部（ＰＭＵＸ（Ｒ））２２からのパケットを、端末インタフェース３２からのパケットと共に多重して左回線インタフェース１１へ出力する。
【００２９】
右パケット多重部（ＰＭＵＸ（Ｒ））２２は、右回線インタフェース２１から出力される左方向伝送路＃１からのパケットを、端末インタフェース３２へ出力すると共に、該伝送装置が端局の場合は、該パケットを左トークンコントローラ（ＴＣＮＴ（Ｌ））２３へ、該伝送装置が中間局の場合は左パケット多重部（ＰＭＵＸ（Ｌ））１２へ出力する。
【００３０】
また、右パケット多重部（ＰＭＵＸ（Ｒ））２２は、該伝送装置が端局の場合は左トークンコントローラ（ＴＣＮＴ（Ｌ））２３からのパケットを、該伝送装置が中間局である場合は左パケット多重部（ＰＭＵＸ（Ｌ））１２からのパケットを、端末インタフェース３２からのパケットと共に多重して右回線インタフェース２１へ出力する。
【００３１】
図７（Ｂ）は中間局として動作するときの形態を示し、左パケット多重部（ＰＭＵＸ（Ｌ））１２と右パケット多重部（ＰＭＵＸ（Ｒ））２２とが直接接続され、右トークンコントローラ（ＴＣＮＴ（Ｒ））１３及び左トークンコントローラ（ＴＣＮＴ（Ｌ））２３は、切離された状態となる。なお、同図の下部に中間局を表記する記号図を示している。
【００３２】
図７（Ｃ）は端局として動作するときの形態を示し、左パケット多重部（ＰＭＵＸ（Ｌ））１２は右トークンコントローラ（ＴＣＮＴ（Ｒ））１３に、右パケット多重部（ＰＭＵＸ（Ｒ））２２は左トークンコントローラ（ＴＣＮＴ（Ｌ））２３に接続された状態となる。なお、同図の下部に端局を表記する記号図を示している。
【００３３】
図８（Ａ）は、回線インタフェース部の構成図を示し、同図（Ｂ）はトークンコントローラ（ＴＣＮＴ）の構成図を示す。図８（Ａ）において、回線インタフェース部は、各種ネットワーク伝送路に対応したインタフェース機能を有し、ネットワーク伝送路からの及びそこへの信号の入力部及び出力部を具え、ネットワーク伝送路に対応した物理インタフェース変換部３−１を具える。
【００３４】
物理インタフェース変換部３−１は、物理レイヤにおけるアラーム信号を監視し、物理レイヤのアラーム信号を検出すると制御部（ＣＮＴ）へアラーム情報を送出する。フレーム分離／生成部３−２の分離部は、物理インタフェース変換部３−１からパケットを受信し、該パケットからネットワーク伝送路のプロトコルに応じたヘッダやフレーム信号等を取除き、純粋な通信データ（ペイロードデータ）のみをパケット多重部（ＰＭＵＸ）へ引き渡す。
【００３５】
また、フレーム分離／生成部３−２の分離部は、同様にパケット内のアラーム信号を監視し、アラーム信号を検出すると制御部（ＣＮＴ）へアラーム情報を通知する。制御部（ＣＮＴ）はこれらのアラーム情報（受信フレーム異常、送信異常等）を受信すると、後述するルールに従って当該ノードの伝送装置を中間局とするか、または端局として動作させるかを決定する。
【００３６】
フレーム分離／生成部３−２の生成部は、パケット多重部（ＰＭＵＸ）から出力されるパケットに対してネットワーク伝送路に応じたヘッダ等を付加してフレームを構成し、物理インタフェース変換部３−１に該パケットフレームを引き渡す。
【００３７】
図８（Ｂ）において、トークンコントローラ（ＴＣＮＴ）は、端局となった伝送装置において機能し、トークンパケット（ＴＰ）タイミング生成部３−３と、トレーラ生成部３−４と、トレーラ終端部３−５と、送信権調停／生成部３−６とを備える。
【００３８】
トークンパケット（ＴＰ）タイミング生成部３−３は、回線インタフェース部からのフレームタイミング信号を基に、トークンパケット（ＴＰ）の送出タイミング信号を生成し、該タイミング信号をトレーラ生成部３−４へ出力する。
【００３９】
トレーラ生成部３−４は、上記タイミング信号に従ったタイミングで、送信権調停／生成部３−６から送出される送信権情報に基づいて送信権を与えるトークンパケット（ＴＰ）を含むパケットトレーラを生成し、該パケットトレーラをパケット多重部（ＰＭＵＸ）へ送出する。
【００４０】
トレーラ終端部３−５は、ネットワーク伝送路を介して対向する他方の端局のトレーラ生成部から送出され、各ノードで送信権リクエスト情報及び送信データパケットが格納されたパケットトレーラを、パケット多重部（ＰＭＵＸ）を経て受信し、終端する。トレーラ終端部３−５は、該パケットトレーラ内に格納された各中間局ノードからの送信権リクエスト情報を、送信権調停／生成部３−６へ通知した後、該パケットトレーラ全てを廃棄する。
【００４１】
送信権調停／生成部３−６は、トレーラ終端部３−５から通知される各中間局ノードからの送信権リクエスト情報、及び制御部（ＣＮＴ）から通知される自ノードのデータ送信リクエスト情報を基に、送信権（トークン）の発行及び調停を行い、各ノードの送信権に関する送信権情報をトレーラ生成部３−４へ通知する  図９は、パケット多重部（ＰＭＵＸ）の構成図を示す。各ノードの伝送装置は、左パケット多重部（ＰＭＵＸ（Ｌ））４−１０及び右パケット多重部（ＰＭＵＸ（Ｒ））４−２０の２系統のパケット多重部（ＰＭＵＸ）を有し、同図は、該２系統のパケット多重部（ＰＭＵＸ）相互の接続関係を示している。
【００４２】
左パケット多重部（ＰＭＵＸ（Ｌ））４−１０及び右パケット多重部（ＰＭＵＸ（Ｒ））４−２０において、パケットトレーラ解析部４−１１，４−２１は、回線インタフェース部４−３０から入力されるパケットトレーラのデータから各種の情報を取得する。
【００４３】
取得する情報は、パケットトレーラ内のデータパケット格納領域の空き領域情報、送信権予約受付け情報、ネットワーク伝送路上における各ノードの配列情報、各種制御情報等であり、パケットトレーラ解析部４−１１，４−２１は、それらを解析して抽出し、それらの情報を制御部ＣＮＴへ通知する。
【００４４】
また、パケットトレーラ内のデータは、パケットトレーラ解析部４−１１，４−２１を経た後、切替えスイッチＳＷにより、端局動作の場合はトークンコントロール（ＴＣＮＴ（Ｒ），ＴＣＮＴ（Ｌ））へ、中間局動作の場合は他系のパケット多重部（ＰＭＵＸ）へ出力される。
【００４５】
この切替えスイッチＳＷは、制御部（ＣＮＴ）によって制御され、制御部（ＣＮＴ）は回線インタフェース部から通知されるアラーム情報等を基に、後述するルールに従って、当該伝送装置が端局動作（マスタ）となるか、中間局動作（スレーブ）となるかを決定し、該決定に応じて端局動作（マスタ）時はトークンコントロール（ＴＣＮＴ（Ｒ），ＴＣＮＴ（Ｌ））側に切替えスイッチＳＷを切替え、中間局動作（スレーブ）時は他系のパケット多重部（ＰＭＵＸ）側に切替えスイッチＳＷを切替える。
【００４６】
自局アドレス検出部４−１２，４−２２は、パケットトレーラ内のデータパケットの中から自局アドレス宛てのデータパケットを検出し、該パケットのデータをコピーし、端末インタフェース部４−３０にメモリ４−１３，４−２３を介して送出する。
【００４７】
端局動作（スレーブ）時、パケット多重部（ＰＭＵＸ（Ｌ）４−１０，ＰＭＵＸ（Ｒ））４−２０から出力されるパケットトレーラは、それぞれ、トークンコントローラ（ＴＣＮＴ（Ｒ），ＴＣＮＴ（Ｌ））へ引き渡され、該トークンコントローラ（ＴＣＮＴ（Ｒ），ＴＣＮＴ（Ｌ））で全て破棄される。また、トークンコントローラ（ＴＣＮＴ（Ｒ），ＴＣＮＴ（Ｌ））から発行されるトークンパケット（ＴＰ）は、それぞれ、パケット多重トレーラ生成部４−１４，４−２４）に入力される。
【００４８】
パケット多重トレーラ生成部４−１４，４−２４は、データパケット生成部４−１５，４−２５でパケット化した端末インタフェース部４−３０からのデータパケット（ＤＰ）と、トークンコントローラ（ＴＣＮＴ）からのトークンパケット（ＴＰ）または他系のパケット多重部（ＰＭＵＸ）からのパケットトレーラと、制御部（ＣＮＴ）から出力されるリクエストを情報とを多重し、パケットトレーラを生成して回線インタフェースへ送出する。
【００４９】
なお、端末インタフェース部４−３０からの送信データは、データ量監視・記憶部４−１６，４−２６により、送信データ量が測定され、該送信データ量は制御部（ＣＮＴ）へ通知される。制御部（ＣＮＴ）は該送信データ量を基に、送信権リクエスト情報を生成し、該送信権リクエスト情報をデータ送信方向と逆方向のパケット多重トレーラ生成部４−１４，４−２４へ入力する。
【００５０】
パケット多重トレーラ生成部４−１４，４−２４は、端局動作（マスタ）時には、トークンコントロール（ＴＣＮＴ）から出力されるトークンパケット（ＴＰ）を、パケットトレーラの先頭に格納し、それに続くデータパケット格納領域に、データパケット（ＤＰ）生成部４−１５，４−２５から出力されるデータパケット（ＤＰ）を、制御部（ＣＮＴ）から指示に従って多重する。
【００５１】
中間局動作（スレーブ）時は、他方のパケット多重部（ＰＭＵＸ）から出力されるパケットトレーラを選択し、該トレーラに含まれるトークンパケット（ＴＰ）及びデータパケット（ＤＰ）に、反対方向のデータ量監視・メモリ部１４−１６，１４−２６で算出したデータ量を含む送信権リクエスト情報を多重する。
【００５２】
制御部（ＣＮＴ）は、到来したパケットトレーラ内のデータからパケットトレーラ解析部４−１１，４−２１により認識される該パケットトレーラ内の空き領域情報、自ノードの送信権予約受付け情報、及びデータ量監視・メモリ部１４−１６，１４−２６に保持された送信データ量情報に基づいて、自ノードでの送信データの送出可否を判断し、送出可能であると判断した場合に、上記パケット多重トレーラ生成部４−１４，４−２４に対して、自ノードのデータパケット（ＤＰ）の多重化を指示する。
【００５３】
図１０は、端末インタフェース部の構成図を示す。端末インタフェース部４−３０は、回線インタフェース部と同様に、物理インタフェース変換部及びフレーム分離／生成部を備えた回線部５−１と、ネットワーク伝送路ヘ送信されるまで送信データを格納するメモリ５−２と、双方向のネットワーク伝送路の双方から受信されるデータを格納する遅延吸収用のメモリ５−３と、送信データを双方向ネットワーク伝送路の何れか一方にのみ送信するように、送信先パケット多重部（ＰＭＵＸ）を切替えるスイッチ（ＳＷ）５−４とから成る。
【００５４】
スイッチ（ＳＷ）５−４は、送信するデータの送信先ノードアドレスと、制御部（ＣＮＴ）が保有するノード配列情報を基に、送信先ノードが何れの方向の双方向ネットワーク伝送路上に配置されているかを認識し、該送信先方向のパケット多重部（ＰＭＵＸ）へ、送信データ格納メモリ５−２の出力を切替える。
【００５５】
図１１（Ａ）に、トレーラ生成部で生成されて伝送路上に配送されるパケットトレーラの構成図を示す。パケットトレーラはトークンパケット（ＴＰ）が先頭に搭載され、それに続いて各ノードから送出されるデータパケット（ＤＰ）が頭詰めで順次搭載される。また、トークンパケット（ＴＰ）の後には、適宜、ノード間の通信制御を行うためのコントロールパケット（ＣＰ）が搭載される。
【００５６】
各パケットは、例えば、ＨＤＬＣ（ｈｉｇｈ  ｌｅｖｅｌ  ｄａｔａ  ｌｉｎｋ  ｃｏｎｔｒｏｌ  ｐｒｏｃｅｄｕｒｅｓ  ）準拠型式等のフォーマット構成を備え、図１１（Ｂ）に示すように、フラグフィールドＦ、アドレスフィールドＡ、制御フィールドＣ、情報フィールドＩ、フレームチェックシーケンスフィールドＦＣＳを有する。
【００５７】
トークンパケット（ＴＰ）、データパケット（ＤＰ）またはコントロールパケット（ＣＰ）等のパケット種別を表す識別情報、及び送信データの優先度を表す優先度情報は制御フィールドＣに格納する。そして、送信データの優先度情報を基に、前記制御部ＣＮＴが優先制御を行うことにより、リアルタイム性を重視したデータ通信にも対応したネットワークを構成することができる。
【００５８】
図１１（Ｃ）に通信路の論理構成とパケットトレーラの配送方向を示す。論理的通信路は、一つの左端局Ａと任意数の中間局Ｂ〜Ｄと一つの右端局Ｅとを、双方向の伝送路で接続したリニアトポロジとなる。物理的に各ノード（局）をリング状に接続した場合であっても、後述する端局決定ルールによって、何れかのノード（局）が左端局及び右端局として決定され、自動的に図１１（Ｃ）に示すような通信路論理構成となる。
【００５９】
ここで、左端局Ａへ向かうパケットトレーラを「ＲｔｏＬパケットトレーラ」、右端局Ｅへ向かうパケットトレーラを「ＬｔｏＲパケットトレーラ」と称す。各ノードは、左端局Ａ方向の送信データパケットをＲｔｏＬパケットトレーラに搭載し、右端局Ｅ方向の送信データパケットをＬｔｏＲパケットトレーラに搭載する。
【００６０】
例えば、ノードＢからノードＤへの送信データパケットはＬｔｏＲパケットトレーラに搭載し、ノードＣからノードＢへの送信データパケットはＲｔｏＬのパケットトレーラに搭載する。そのため、それぞれの伝送方向へ独立にデータパケットを送信することができ、双方向の伝送路を無駄なく効率的に使用することができ、伝送容量を有効に利用することができる。なお、全ノードへ一斉に送信するマルチキャストデータパケットは、両方のパケットトレーラに搭載することにより送信される。
【００６１】
図１２にパケットトレーラの配送の様子とトークンコントローラ（ＴＣＮＴ）の動作を示す。パケットトレーラは、左トークンコントローラ（ＴＣＮＴ−Ｌ）７−１及び右トークンコントローラ（ＴＣＮＴ−Ｒ）７−２から、ネットワーク伝送路上に重なり合うことのないよう続けて送出され、各パケットトレーラは、反対側のトークンコントローラ（ＴＣＮＴ）に到達すると、該到達先のトークンコントローラ（ＴＣＮＴ）により終端され廃棄される。
【００６２】
左トークンコントローラ（ＴＣＮＴ−Ｌ）７−１及び右トークンコントローラ（ＴＣＮＴ−Ｒ）７−２は、パケットトレーラが到着すると、該トレーラ内のデータパケット（ＤＰ）を破棄し、また、トークンパケット（ＴＰ）から送信権リクエスト情報を抽出し、該送信権リクエスト情報を基に生成した新たな送信権情報を含むトークンパケット（ＴＰ）を生成する。
【００６３】
そして、回線インタフェース部からのフレームタイミング信号により、トークンパケット（ＴＰ）の送出タイミングを決定し、該送出タイミングに、上記トークンパケット（ＴＰ）を搭載したパケットトレーラをパケット多重部（ＰＭＵＸ）を経てネットワーク伝送路上に順次送出する。
【００６４】
図１３に各ノードからのデータパケットをパケットトレーラにより送信する様子を示す。図１３（Ａ）はトークンパケット（Ｔ）が周回する様子を示し、右から左へ移動するパケットトレーラのトークンパケット（Ｔ）の後に、左方向のデータパケットを搭載して送信し（左方向送信フェーズ）、また、右方向のデータパケットを送信するための送信権リクエスト情報を、この右から左へ移動中のパケットトレーラのトークンパケット（Ｔ）に付加する（右方向送信権リクエストフェーズ）。
【００６５】
同様に、左から右へ移動するパケットトレーラのトークンパケット（Ｔ）の後に、右方向のデータパケットを搭載して送信し（右方向送信フェーズ）、また、左方向のデータパケットを送信するための送信権リクエスト情報を、この左から右へ移動中のパケットトレーラのトークンパケット（Ｔ）に付加する（左方向送信権リクエストフェーズ）。
【００６６】
即ち、データパケットを送信する場合、送信方向と逆方向のトークンパケット（Ｔ）に送信権リクエスト情報を載せ、該送信権リクエスト情報を受信したトークンコントロール（ＴＣＮＴ）は、優先度等を基にノード間の送信権調停を行い、送信権を与えたノードのデータパケット（ＤＰ）搭載領域を事前に確保し、図１３（Ｂ）に示すように該領域を予約領域としたパケットトレーラを生成送出する。このように、送信権調停及び予約領域の確保により、通信サービス品質（ＱＯＳ）に応じた通信、及びリアルタイム性を確保したデータ通信が可能となる。
【００６７】
図１３（Ｃ）はデータパケット（Ｄ）を右方向へ送信する様子を示し、先ず、右トークンコントローラ（ＴＣＮＴ）８−１で初期化・生成された左方向のトークンパケット（Ｔ）８−２，８−３が左方向伝送路上に配送され、今、中間局ノードＢ及びＣが右方向へのデータパケット（Ｄ）の送信要求をしている場合、ノードＢ及びＣは、左方向へ移動するトークンパケット（Ｔ）８−２，８−３へ、送信権リクエスト情報Ｒｅｑ（自ノードアドレス、優先度、送信データサイズ）を載せる。
【００６８】
該送信権リクエスト情報Ｒｅｑを基に、左トークンコントローラ（ＴＣＮＴ）８−４は送信権調停処理を行い、その結果与えられた送信権及び確保された予約領域の情報が、左トークンコントローラ（ＴＣＮＴ）８−４から右方向のトークンパケット（Ｔ）８−２´，８−３´に搭載され、ノードＢ及びＣは、該トークンパケット（Ｔ）８−２´，８−３´の予約領域の情報に従って、送信データ量を決定し、パケットトレーラ内の予約領域に該送信データのデータパケット（Ｄ）を搭載することにより、右方向へのデータ送信が行われる。
【００６９】
図１４は、トークンパケットの構成例を示す。トークンパケットは、例えば、ＨＤＬＣ準拠のパケットの情報フィールドＩに、管理情報として、右端局及び左端局のアドレス並びにパケットトレーラ長等を格納し、ＲｔｏＬ送信権マップ部及びＬｔｏＲ送信権マップ部に、それぞれ、各ノード（局）の送信権情報（局アドレス、優先送信データサイズ、非優先送信データサイズ）及び当該パケットトレーラ内の空き領域サイズ等を格納する。
【００７０】
次に、図１５を参照して各ノードにおけるデータパケット送信ルールを説明する。例として先ず、中間局Ｃから右方向のデータ送信要求が発生したとすると、中間局Ｃは、送信権予約リクエストのために左方向のトークンパケットの到来を待つ一方、右方向のパケットトレーラの到来を待つ（１）。
【００７１】
ここで、中間局Ｃは、右方向パケットトレーラのトークンパケットＴ０の到来を先に検出すると（２）、このパケットトレーラに空き領域があるかどうかを調べ、空き領域があれば該空き領域を獲得してデータパケットＤを送信することができるものとする（無予約送信）。
【００７２】
他方、データパケットＤが未送信の場合、左方向のトークンパケットＴ２の到来を検出すると（３）、該トークンパケットＴ２に送信権予約リクエストを付加する。そして、トークンパケットＴ２が左端局Ａに到着し、左端局Ａで送信権調停及び予約受付け処理が行われ、該トークンパケットＴ２を含むパケットトレーラが右方向に送出されて中間局Ｃに到着するまでの間に、中間局Ｃで右方向のトークンパケットＴ１を検出すると（４）、該トークンパケットＴ１のパケットトレーラに空き領域が存在する場合、該空き領域を獲得してデータパケットＤを送信することができるものとする（予約後無予約送信）。
【００７３】
送信権予約リクエストを行ったトークンパケットＴ２の次に左方向トークンパケットＴ３が到来しても（４’）、該トークンパケットＴ３に対して二重に送信権を予約するリクエストを行ってはならない（オーバブッキング禁止）。
【００７４】
先の送信権予約リクエストに対する受付け処理が行われた予約済みの右方向トークンパケットＴ２の到来が中間局Ｃで検出されると（５）、そのパケットトレーラの予約領域にデータパケットＤを格納して送信する（予約送信）。
【００７５】
なお、中間局Ｃは、上記の予約後無予約送信（４）により、既にデータパケットＤを送信済で、残留データの送信要求がない場合には、予約済みの右方向トークンパケットＴ２に対して予約をキャンセルし、予約領域を空き領域として下方の中間局に渡す。残留データの送信要求がある場合は、該送信権予約リクエストによる予約領域を使用して残留データパケットＤを送信することができる。
【００７６】
また、各中間局は、自局宛のデータパケットを受信すると、該データパケットを破棄し、該データパケットが占有していた領域を空き領域にして、下方の中間局に渡す。こうすることにより、更にネットワーク伝送路の有効利用を図ることができる。
【００７７】
また、送信権予約リクエスト情報に、優先度を示すリクエスト属性（優先／非優先）を付加して送出すると、該「優先」の送信権予約リクエストは、パケットトレーラ容量を超えた送信権予約リクエストが集中した場合でも、トークンコントローラの送信権調停処理によって優先的に受付けられる。
【００７８】
従って、リアルタイム性を重視する通信サービスのデータパケット送信時に、「優先」の送信権予約リクエストを送出することにより、該データパケットに優先的に送信権が与えられ、伝送遅延及びデータ破棄が少なく、リアルタイム性が損なわれない通信サービスを供給することが可能となる。
【００７９】
一方、「非優先」の送信権予約リクエストは、パケットトレーラ容量を超えた送信権予約リクエストが集中した場合、トークンコントローラの送信権調停処理において受付けが拒否され、該送信リクエスト対象のデータ送信は待機させられまたは破棄される。従って、厳しいリアルタイム性が要求されず、データ破棄に対して再送要求等を行う手順を有するＴＣＰ（Ｔｒａｎｓｍｉｓｓｉｏｎ  Ｃｏｎｔｒｏｌ  Ｐｒｏｔｏｃｏｌ  ）等のプロトコルによる通信に使用される。      上記の送信ルール及び送信権調停処理により、送信権を与えたノードに対する送信データ格納用の予約領域をパケットトレーラ内に事前に確保し、予約領域以外の空き領域も有効に活用してデータ送信を行い、また、優先度を示す送信権リクエスト属性を付加し得ることにより、二重リング伝送路分の伝送容量をフルに使用した効率的データ通信を行うことができ、かつ、リアルタイム性または高品質性を重視するメディア通信にも好適に適用することができる。
【００８０】
次に、図１６を参照して各ノード（局）が局配列を認識する手順について説明する。各ノードは、トークンパケット（ＴＰ）の送信権マップにより局配列を認識する。左方向のトークンパケット（ＴＰ）のＬｔｏＲ送信権マップ部１１−１、及び右方向のトークンパケット（ＴＰ）のＲｔｏＬ送信権マップ部１１−２には、それぞれ局配列情報格納部を備える。
【００８１】
そして、トークンパケット（ＴＰ）発信元の端局ノードから順番に、該トークンパケット（ＴＰ）の局配列情報格納部に自局の局アドレスを頭詰めで格納して次のノード（局）へトークンパケット（ＴＰ）を転送するとともに、各ノード（局）は、両方向からのトークンパケット（ＴＰ）の送信権マップに格納された局配列情報を読み出すことにより、各ノード（局）は局の配列状況を認識することができる。
【００８２】
例えば、ノードＢは、左方向のトークンパケット（ＴＰ）のＬｔｏＲ送信権マップ部１１−３に、ノードＤ及びノードＣのアドレスが格納されていることから、右側にノードＣ及びノードＤが配列されていることを認識する。また、右方向のトークンパケット（ＴＰ）のＲｔｏＬ送信権マップ部１１−４に、ノードＡのアドレスが格納されていることから、左側にノードＡが配列されていることを認識する。
【００８３】
各ノード（局）は局配列を認識することにより、送信先のノード（局）にデータパケットを送出する場合、送信権予約リクエスを送出するトークンパケットの方向、及びデータパケットを格納するパケットトレーラの方向を決定することができる。
【００８４】
次に、障害時に接続経路をアダプティブに自動的に切替えるＲＡＳ機能について説明する。各局は伝送フレームの受信状態と自局の送信異常状態とをリアルタイムに監視し、その監視情報を相互に局間で授受することにより、各局は、以下のネットワークパス切替えルールに従って、端局動作（マスタ）となるかまたは中間局動作（スレーブ）となるかを自律的に決定して切替え、障害伝送路を回避したネットワークパスを設定する。
【００８５】
以下に、ネットワークパス切替えルールＲＡＳ−ｒ１〜ＲＡＳ−ｒ７を記す。
・ＲＡＳ−ｒ０：起動時、全てのノードは端局動作（マスタ）となり、端局通知フレーム（マスタノードＩＤを含む）を送信する。
・ＲＡＳ−ｒ１：上流からデータフレームが到来しない局は端局動作（マスタ）となる。
・ＲＡＳ−ｒ２：マスタ局は、両系の上流から互いに異なる他のマスタからのマスタ通知フレームが到来した場合、中間局動作（スレーブ）となる。
・ＲＡＳ−ｒ３：マスタ局は、両系の上流から同一の他のマスタからのマスタ通知フレームが到来した場合（二重マスタ状態）、局間同士で予め定めた順位に従って、順位の高い局がマスタ状態を維持し、順位の低い局はスレーブとなる。例えば、ノードＡ＞ノードＢ＞ノードＣ＞ノードＤの順に順位が付けられ、ノードＡが最も高い順位であるものとする。
・ＲＡＳ−ｒ４：データフレームが到来しない伝送路側の逆方向の下流にマスタ勧誘フレームを送出する。
・ＲＡＳ−ｒ５：片系の上流からのみマスタ勧誘フレームを受けた局は、マスタとなる。
・ＲＡＳ−ｒ６：両系の上流からマスタ勧誘フレームを受けた局（両隣接局マスタ）は、マスタとならない。
・ＲＡＳ−ｒ７：上流からデータフレームが到来した場合、上記ルールＲＡＳ−ｒ４を解消し、マスタ勧誘フレームの送出を停止する。
【００８６】
図１７は、本発明方法を説明するためのリングネットワークの一実施例の構成図を示す。同図中、ノード＃１〜＃６でリングネットワークが構成されており、リングネットワークを展開して表示しているため、ノード＃１をネットワークの両端に示している。
【００８７】
ここで、例えばノード＃４は営業所に設置され、残りのノード＃１〜＃３，ノード＃５，＃６は観測所に設置されており、ノード＃１〜＃３，ノード＃５，＃６からノード＃４に映像データが転送される場合を想定する。この場合、例えばノード＃４に操作端末等を接続し、ノード＃４を本局と設定し（ＨＯＮ＿ｓｅｔ）、マスタノードを決定するためにＨＯＮモードを設定する。これにより、本局ノード＃４から右方向回線と左方向回線の双方に図１８に示すコントロールパケット（ＣＰ）が送出される。
【００８８】
図１８は、本発明で使用されるコントロールパケット（ＣＰ）のＨＤＬＣ準拠の情報フィールドＩの構成例を示す。同図中、ＲＡＳアクティブ識別（ＡＣ）ではＲＡＳ機能を使用して動作するか否かを示す。物理端識別（Ｐ）は自ノードが端局であるか否かを示す。ＮＨＣ（Ｎｏｄｅ  Ｈｏｐ  Ｃｏｕｎｔ）は本局ノードから自ノードまでのノード数を格納する。ＨＯＮ（Ｈｅａｄ  Ｏｆ  ｔｈｅ  Ｎｏｄｅ）モード識別はマスタノードを決定するモードであるか否かを示す。ＣＲＣ−４は情報フィールドの誤り検出コードを格納する。このコントロールパケット（ＣＰ）は、本局と設定されたノードにおいて生成され、このときＮＨＣ＝０が設定されて、右方向回線と左方向回線の双方に送出される。なお、このコントロールパケットはリングネットワークを一周し、本局と設定されたノードにおいて終端される。
【００８９】
図１９は、各ノードの制御部（ＣＮＴ）３１が実行するマスタ設定処理のフローチャートを示す。同図中、ステップＳ１０でネットワークからコントロールパケット（ＣＰ）を受信する。ステップＳ１２でコントロールパケット内のＨＯＮモード識別がオンか否かを判別し、ＨＯＮモード識別がオフであればステップＳ１４にて既存のＲＡＳ機能によるマスタノード切替え動作を行うことを自ノードに設定する。
【００９０】
ＨＯＮモード識別がオンであればステップＳ１６にてＨＯＮモードでマスタノード切替え動作を行うことを自ノードに設定する。次に、ステップＳ１８で本局の設定（ＨＯＮ＿ｓｅｔ）がされているか否かを判別し、本局の設定（ＨＯＮ＿ｓｅｔ）がされている場合にはステップＳ２０で自ノードをスレーブノードに設定する。
【００９１】
一方、本局の設定（ＨＯＮ＿ｓｅｔ）がされている場合にはステップＳ２２で右方向回線から受信したコントロールパケット内のＮＨＣの値（ＮＨＣ＿Ｒ）と左方向回線から受信したコントロールパケット内のＮＨＣの値（ＮＨＣ＿Ｌ）を比較して、ＮＨＣ＿Ｌ＝ＮＨＣ＿Ｒであるか、もしくは、ＮＨＣ＿Ｌ＝ＮＨＣ＿Ｒ−１であるかを判別する。
【００９２】
ＮＨＣ＿Ｌ＝ＮＨＣ＿Ｒであるか、もしくは、ＮＨＣ＿Ｌ＝ＮＨＣ＿Ｒ−１の場合にはステップＳ２４で自ノードをマスタノードに設定する。ＮＨＣ＿Ｌ≠ＮＨＣ＿Ｒ、かつ、ＮＨＣ＿Ｌ≠ＮＨＣ＿Ｒ−１の場合にはステップＳ２０で自ノードをスレーブノードに設定する。ところで、右方向回線または左方向回線のいずれか一方からコントロールパケットを受信した状態ではＮＨＣ＿Ｌ≠ＮＨＣ＿Ｒ、かつ、ＮＨＣ＿Ｌ≠ＮＨＣ＿Ｒ−１であるためスレーブノードに設定される。
【００９３】
ステップＳ２０，Ｓ２４を実行したあとステップＳ２６に進み、受信したコントロールパケット内のＮＨＣの値を１だけインクリメントし、ステップＳ２８で上記コントロールパケットを右方向回線または左方向回線に送出する。
【００９４】
ところで、本局と設定したノードで障害が発生し、既存のＲＡＳ機能によるマスタノード切替え動作を行うことなくネットワークから外れた場合を想定して図２０に示す誤動作防止処理を具備する。
【００９５】
図２０は、誤動作防止処理のフローチャートを示す。この処理は、例えば図１９のステップＳ１２とＳ１６の間で実行される。ステップＳ３０では、受信したコントロールパケット内のＮＨＣの値が最大ノード数（例えば最大ノード数は３２）以上か否かを判別し、ＮＨＣ＜最大ノード数であればステップＳ１８に進む。ＮＨＣ≧最大ノード数であればステップＳ３２で自局を端局（マスタ）に設定し、ステップＳ３４でコントロールパケットのＨＯＮモード識別にオフを設定して既存のＲＡＳ機能によるマスタノード切替えを指示したのち、ステップＳ２８に進んで、このコントロールパケットを送出する。これは、ＮＨＣの値が最大ノード数以上となると終端装置が終端機能を果たさなくなり中継のみのループができている判断でき、この場合には通常ＲＡＳの状態に復帰させるためである。
【００９６】
ここで、図２１は、リングネットワークが奇数個のノード＃１〜＃７で構成されノード＃５が本局されている場合を示す。この場合、ノード＃１において、右方向回線から受信したＮＨＣの値ＮＨＣ＿Ｒ＝２となり、左方向回線から受信したＮＨＣの値ＮＨＣ＿Ｌ＝３となり、ノード＃１がマスタノードとなる。
【００９７】
図２２は、リングネットワークが偶数個のノード＃１〜＃８で構成されノード＃５が本局されている場合を示す。この場合、ノード＃１において、右方向回線から受信したＮＨＣの値ＮＨＣ＿Ｒ＝３となり、左方向回線から受信したＮＨＣの値ＮＨＣ＿Ｌ＝３となり、ノード＃１がマスタノードとなる。
【００９８】
このようにして、受信トラフィックが集中する本局のノードから最も遠い位置にあるノードがマスタノードに設定されるため、右方向回線と左方向回線の双方を効率よく利用することができる。
【００９９】
なお、ステップＳ２６が請求項または付記記載のカウント手段に対応し、ステップＳ２２，Ｓ２４がマスタ設定手段に対応し、ステップＳ２８がコントロールパケット送出手段に対応する。
（付記１）
隣接ノード間が右方向回線及び左方向回線の双方向伝送路によって接続されたリングネットワークのマスタ設定方法において、
本局と指定されたノードから各ノードまでの右方向回線でのノードホップ数と左方向回線でのノードホップ数とをそれぞれカウントし、
前記右方向回線でのノードホップ数と前記左方向回線でのノードホップ数とが同一もしくはいずれか一方が１だけ少ないノードをマスタノードと設定することを特徴とするリングネットワークのマスタ設定方法。
（付記２）
付記１記載のリングネットワークのマスタ設定方法において、
前記本局と指定されたノードは、受信トラフィックが集中するノードであることを特徴とするリングネットワークのマスタ設定方法。
（付記３）
隣接ノード装置と右方向回線及び左方向回線の双方向伝送路によって接続されたリングネットワークのノード装置において、
本局と指定されたノードから自ノードまでの右方向回線でのノードホップ数と左方向回線でのノードホップ数とをそれぞれカウントするカウント手段と、
前記右方向回線でのノードホップ数と前記左方向回線でのノードホップ数とが同一もしくは一方が１だけ少ない場合に自ノードをマスタノードと設定するマスタ設定手段を
有することを特徴とするリングネットワークのノード装置。
（付記４）
付記３記載のリングネットワークのノード装置において、
前記本局と指定されたノードは、受信トラフィックが集中するノードであることを特徴とするリングネットワークのノード装置。
（付記５）
付記４記載のリングネットワークのノード装置において、
前記本局と指定されたノードは、ノードホップ数を０としたコントロールパケットを生成し前記右方向回線と前記左方向回線に送出するコントロールパケット生成手段を
有することを特徴とするリングネットワークのノード装置。
（付記６）
付記３記載のリングネットワークのノード装置において、
各ノードは、前記右方向回線または左方向回線から受信したコントロールパケットのノードホップ数を１だけインクリメントして前記右方向回線または左方向回線に送出するコントロールパケット送出手段を
有することを特徴とするリングネットワークのノード装置。
（付記７）
付記３記載のリングネットワークのノード装置において、
マスタ設定手段は、前記ノードホップ数が所定値以上であるとき、自ノードをマスタノードと設定することを特徴とするリングネットワークのノード装置。
【図面の簡単な説明】
【０１００】
【図１】リングネットワークの構成例である。
【図２】従来のリングネットワークで回線異常が発生した場合の動作を示す図である。
【図３】マスタノードの位置よる伝送効率の違いを説明するための図である。
【図４】マスタノードの位置よる伝送効率の違いを説明するための図である。
【図５】マスタノードの位置よる伝送効率の違いを説明するための図である。
【図６】本発明のリングネットワークの一実施例の構成図である。
【図７】本発明の各ノードにおける伝送装置の構成図である。
【図８】回線インタフェース部とトークンコントローラ（ＴＣＮＴ）の構成図である。
【図９】パケット多重部（ＰＭＵＸ）の構成図である。
【図１０】端末インタフェース部の構成図である。
【図１１】パケットトレーラ，パケット，通信路の論理構成とパケットトレーラの配送方向の構成図である。
【図１２】パケットトレーラの配送の様子とトークンコントローラ（ＴＣＮＴ）の動作を示す図である。
【図１３】各ノードからのデータパケットをパケットトレーラにより送信する様子を示す図である。
【図１４】トークンパケットの構成例を示す図である。
【図１５】各ノードにおけるデータパケット送信ルールを説明するための図である。
【図１６】各ノード（局）が局配列を認識する手順について説明するための図である。
【図１７】本発明方法を説明するためのリングネットワークの一実施例の構成図である。
【図１８】コントロールパケットの構成例を示す図である。
【図１９】マスタ設定処理のフローチャートである。
【図２０】誤動作防止処理のフローチャートである。
【図２１】リングネットワークが奇数個のノードで構成されている場合のマスタノード設定を説明するための図である。
【図２２】リングネットワークが偶数個のノードで構成されている場合のマスタノード設定を説明するための図である。
【符号の説明】
【０１０１】
１１  左回線インタフェース
１２  左パケット多重部（ＰＭＵＸ（Ｌ））
１３  右トークンコントローラ（ＴＣＮＴ（Ｒ））
２１  右回線インタフェース
２２  右パケット多重部（ＰＭＵＸ（Ｒ））
２３  左トークンコントローラ（ＴＣＮＴ（Ｌ））
３１  制御部（ＣＮＴ）
３２  端末インタフェース
【図１】
2005167931.tif 000003
【図２】
2005167931.tif 000004
【図３】
2005167931.tif 000005
【図４】
2005167931.tif 000006
【図５】
2005167931.tif 000007
【図６】
2005167931.tif 000008
【図７】
2005167931.tif 000009
【図８】
2005167931.tif 000010
【図９】
2005167931.tif 000011
【図１０】
2005167931.tif 000012
【図１１】
2005167931.tif 000013
【図１２】
2005167931.tif 000014
【図１３】
2005167931.tif 000015
【図１４】
2005167931.tif 000016
【図１５】
2005167931.tif 000017
【図１６】
2005167931.tif 000018
【図１７】
2005167931.tif 000019
【図１８】
2005167931.tif 000020
【図１９】
2005167931.tif 000021
【図２０】
2005167931.tif 000022
【図２１】
2005167931.tif 000023
【図２２】
2005167931.tif 000024